(57)【特許請求の範囲】
【請求項１】
穴を有する上面部と、開口を有する側面部と、を有する鉢受台に用いられ、前記開口に対して引き出し可能な鉢受台用受皿であって、
底面と、側面を有し、前記開口に対して可動である本体と、
前記底面に、引き出し方向に間隔を置いて立設され、少なくとも一端が側壁面から間隙を設けた自由端である複数の波消板とを備え、
平面視において、前記波消板の前記自由端である端部が前記引き出し方向と逆方向に向かう曲面を有することを特徴とする、
鉢受台用受皿。
【請求項２】
穴を有する上面部と、開口を有する側面部と、を有する鉢受台に用いられ、前記開口に対して引き出し可能な鉢受台用受皿であって、
底面と、側面を有し、前記開口に対して可動である本体と、
前記底面に、引き出し方向に間隔を置いて立設され、少なくとも一端が側壁面から間隙を設けた自由端である複数の波消板とを備え、
前記波消板が、平面視において、前記自由端が前記引き出し方向と逆方向に向かうように傾斜する傾斜面を有することを特徴とする、
鉢受台用受皿。
【請求項３】
穴を有する上面部と、開口を有する側面部と、を有する鉢受台に用いられ、前記開口に対して引き出し可能な鉢受台用受皿であって、
底面と、側面を有し、前記開口に対して可動である本体と、
前記底面に、引き出し方向に間隔を置いて立設され、少なくとも一端が側壁面から間隙を設けた自由端である複数の波消板とを備え、
中央部にＵ字形状の内壁面を有し、前記内壁面により形成された長溝は、前記鉢受台の底面部から垂直に伸び前記上面部を支える支持部と嵌合可能であり、前記複数の波消板が、前記内壁面から周辺部に向かって延び出すことを特徴とする、
鉢受台用受皿。
【請求項４】
前記鉢受台用受皿は、前記上面部の前記穴から流下した排水を貯留し、
前記複数の波消板の、前記引き出し方向の間隙に、第２波消板が設けられ、
平面視において、前記第２波消板の自由端である端部が引き出し方向と逆方向に向かう曲面を有し、
前記波消板と前記第２波消板によりジグザグの水流路を形成する請求項１または３に記載の鉢受台用受皿。
【請求項５】
前記第２波消板は前記本体の前記側面から延び出す、請求項４に記載の鉢受台用受皿。
【発明の詳細な説明】
【技術分野】
【０００１】
本発明は、鉢植えされた観葉植物等への水やりの際、鉢底から出る排水を簡易に処理ができる水受けのための鉢受台用受皿に関するものである。
【背景技術】
【０００２】
特許文献１は、排水を受けるための水回収トレーを有する水取付植木鉢置台を提案している。特許文献１の鉢置台では、鉢を置くための部位が鉢底を覆う形態で、前記部位の中央には孔と、孔に対応して備えることのできる形態の漏斗型の受け皿が備えられ、水やりをした後に鉢底から出る排水は漏斗型の受け皿を通って、漏斗型の受け皿の下に備えてある水回収トレーへと排水が流れ落ちるというものである。【０００３】
特許文献２では、穴を有する鉢台と、穴に嵌合できる逆円錐形パッキンと、台の下に設けられた受皿を備えた植木鉢台が提案されている。
【先行技術文献】
【特許文献】
【０００４】
【特許文献１】特開２００１−３４６４５１号公報
【特許文献２】国際公開ＷＯ２０１８／１９００４５Ａ１号公報
【発明の概要】
【発明が解決しようとする課題】
【０００５】
特許文献１、２に開示された鉢皿のいずれも、鉢皿を引き出すときに、その勢いの反動によって、鉢皿の水が鉢皿の進行方向に飛び出し、下方に漏れてしまい、掃除する手間が生じるといった不都合が生じる。【０００６】
本発明は、排水が貯留した受皿を鉢台から移動させるときに、水が受皿からこぼれないようにすることを目的とする。
【課題を解決するための手段】
【０００７】
本発明は上記課題に鑑みてなされたものであり、請求項１の発明は、穴を有する上面部と、開口を有する側面部と、を有する鉢受台に用いられ、前記開口に対して引き出し可能な鉢受台用受皿であって、底面と、側面を有し、前記開口に対して可動である本体と、前記底面に、引き出し方向に間隔を置いて立設され、少なくとも一端が側壁面から間隙を設けた自由端である複数の波消板とを備え、平面視において、前記波消板の前記自由端である端部が前記引き出し方向と逆方向に向かう曲面を有することを特徴とする、鉢受台用受皿（以下、受皿という。）である。「端部が曲面」とは、波消材の形状の総てが曲面であっても、その端部が曲面である場合は全て含む。具体的には半円型などであっても含まれる。鉢受台の開口に対して鉢受台用受皿を収容可能な構造、又は載置可能な構造のいずれも含む。例えば、鉢受台が引き出し構造を有し、受皿が引き出し構造に対して所定方向に進退可能な構成、又は、受皿を開口内に載置し、所定方向に進退可能な構成が例示される。「所定方向」は受皿が長方形であれば、長手方向又は短手方向であり、丸形、多角形等であれば、予め設定される一定方向である。  
【０００８】
請求項２の発明は、穴を有する上面部と、開口を有する側面部と、を有する鉢受台に用いられ、前記開口に対して引き出し可能な鉢受台用受皿であって、底面と、側面を有し、前記開口に対して可動である本体と、前記底面に、引き出し方向に間隔を置いて立設され、少なくとも一端が側壁面から間隙を設けた自由端である複数の波消板とを備え、前記波消板が、平面視において、前記自由端が前記引き出し方向と逆方向に向かうように傾斜する傾斜面を有することを特徴とする、鉢受台用受皿である。例えば、２〜１７８度の範囲で適宜設定できる。前記波消材が幅方向に延び出してもよい。例えば、所定方向と直交する方向を基準として、４５度以内の範囲でもよい。「板状部材」は、直線状（例えば、直方体形状等）でも曲線状（例えば、Ｕ字形状又は筒の分割体）でもよく、厚みが一定でもよいし、変化してもよい。
【０００９】
請求項３の発明は、穴を有する上面部と、開口を有する側面部と、を有する鉢受台に用いられ、前記開口に対して引き出し可能な鉢受台用受皿であって、底面と、側面を有し、前記開口に対して可動である本体と、前記底面に、引き出し方向に間隔を置いて立設され、少なくとも一端が側壁面から間隙を設けた自由端である複数の波消板とを備え、中央部にＵ字形状の内壁面を有し、前記内壁面により形成された長溝は、前記鉢受台の底面部から垂直に伸び前記上面部を支える支持部と嵌合可能であり、前記複数の波消板が、前記内壁面から周辺部に向かって延び出すことを特徴とする、鉢受台用受皿である。
【００１０】
請求項４の発明は、前記上面部の前記穴から流下した排水を貯留し、前記複数の波消板の、前記引き出し方向の間隙に、第２波消板が設けられ、平面視において、前記第２波消板の自由端である端部が引き出し方向と逆方向に向かう曲面を有し、前記波消板と前記第２波消板によりジグザグの水流路を形成する。
【００１１】
請求項５の発明は、前記第２波消板は前記本体の前記側面から延び出す。
【００１３】
鉢から出た排水は鉢受台の穴を通って本体の中に落ちて、受皿に貯留される。受皿に貯留された水が満杯になると、受皿を引き出す。受皿を引き出すときに、その勢いの反動によって、受皿の水が受皿を引き出す方向に飛び出そうとするが、波消材によって、水の飛び出しが阻止されるので、受皿からの水のこぼれを防止できる。【００１４】
「鉢受台」と「鉢受台用受皿」の材質は、天然木、合板材、合成樹脂、陶磁器、ステンレス等の金属等が採用可能である。【００１５】
「鉢受台」は、鉢から排水された水を受けるものである。「鉢受台」の構造は、「開口」に対して引き出しのように「受皿」を収容する引き出し構造でもよいし、「受皿」を「開口」に配置する構造でもよい。【００１６】
「上面部」は排水を下に流す穴を有する。上面部は、平面でも曲面でもよく、外周から前記穴の外周までに、該穴の外周に向かって下る傾斜を有することが好ましい。上面部の傾斜は、上面部の外周から始まるのか、もしくは、中間部から受皿の一部が傾斜になっているのか、いずれでもよく、傾斜の存在位置は限定されるものではない。【００１７】
「穴」は丸穴、角穴等、適宜の形状を採用できる。【００１８】
「開口」は、空隙と該空隙を区画する面で構成される。空隙に受皿を配置する。鉢からの排水は、上面部の穴を通り、受皿に貯留される。
【発明の効果】
【００１９】
請求項１の発明によれば、本体の底面に、波消材を備えるので、受皿を鉢受台から引き出す際に、波消材の受皿からの水のこぼれを防止できる。波消材が所定方向に間隔を置いて複数立設されるので、波を減衰させる抵抗力を複数段で与えることができる。また、前記波消材の端部が曲面を有するので、水の回り込みにより、波消効果が高くなる。
【００２０】
請求項２の発明は、前記波消材が引き出し方向に対して、傾斜した角度であるので、より有効に、波を減衰させる抵抗力を複数段で与えることができる。
【００２１】
請求項３の発明によれば、中央部に内壁面を有し、前記複数の波消材が、前記内壁面から周辺部に向かって延び出すので、受皿外周との間に隙間ができ、水の回り込みにより波消効果が高くなる。
【００２２】
請求項４および請求項５の発明によれば、前記複数の波消材の所定方向の間隙に、前記本体の側壁面から延び出す第２波消が設けられるので、水がジグザグに流れることで、波を早く減衰できる。
【図面の簡単な説明】
【００２５】
【図１】本発明実施形態１の受皿の斜視図である。
【図２】同平面図である。
【図３】（ａ）は本発明実施形態１の鉢受台から受皿を除去した状態の斜視図、（ｂ）は同、別の角度からの斜視図である。
【図４】（ａ）、（ｂ）は同上面部の斜視図、（ｃ）は同上面部の裏面図である。
【図５】同本体部の斜視図である。
【図６】同受皿を引き出した使用状態１を示す斜視図である。
【図７】同平面図である。
【図８】同受皿を鉢受台に収納した使用状態２を示す斜視図である。
【図９】本発明実施形態１の受皿の使用状態参考断面図である。
【図１０】本発明実施形態２の受皿の斜視図である。
【図１１】本発明実施形態３の受皿の斜視図である。
【図１２】本発明実施形態４の受皿の斜視図である。
【図１３】本発明実施形態１〜４の受皿を収容する鉢受台の本体部の変形例の斜視図である。
【図１４】（ａ）〜（ｄ）は、本発明実施形態５の受皿、及び、鉢受け台の斜視図である。
【図１５】本発明実施形態６の受皿、及び、鉢受け台の斜視図である。
【図１６】同じく鉢受け台の裏面からの斜視図である。
【図１７】同じく受皿を引き出した状態の鉢受台の斜視図である。
【図１８】（ａ）は同じく受皿の斜視図、（ｂ）は底面部の斜視図である。
【発明を実施するための形態】
【００２６】
以下、図面を参照しながら、本発明の好ましい実施形態１の受皿１について図１〜図９を参照して説明する。
【００２７】
受皿１は、穴１０１を有する上面部１０２と開口１０３とを備える鉢受台１００からの排水を受ける部材であって、開口１０３から所定方向Ｘに可動である本体２１と、本体２１の底面２２に、幅方向Ｙに延び出し、所定方向Ｘに間隔を置いて配置される複数枚（図では６枚）の波消材３と、を備える。以下、各構成について説明する。
【００２８】
波消材３が板状部材である。波消材３の端部が曲面２３を有する。波消材３が所定方向Ｘに間隔を置いて複数個設けられる。ここでは所定方向Ｘは受皿１の長手方向である。
【００２９】
複数の波消材３は、第１波消３１と、第１波消３１の所定方向Ｘの間隙に、本体２１の側壁面２４から内側に延び出す、第２波消３２が設けられる。
【００３０】
本体２１は、中央に平面視でＵ字形状の内壁面４を有することにより、長溝５が設けられており、複数の第１波消３１は、本体２１の中央に設けられたＵ字形状の内壁面４から延び出す。
【００３１】
受皿１と、鉢受台１００の材質は、合成樹脂である。
【００３２】
鉢受台１００は、鉢Ｐから排水された水を受けるものである。鉢受台１００の構造は、開口１０３に対して引き出しのように受皿１を収容する引き出し構造である。
【００３３】
上面部１０２は排水を下に流す穴１０１を有する。上面部１０２は、平面でも曲面でもよく、外周から前記穴１０１の外周までに、前記穴１０１の外周に向かう下り傾斜を有することが好ましい。上面部１０２の傾斜は、上面部１０２の外周から始まるのか、もしくは、中間部から受皿の一部が傾斜になっているのか、いずれでもよく、傾斜の存在位置は限定されるものではない。
【００３４】
穴１０１は弧と弦で囲まれた形状であるが、他の形状、例えば、角穴等、適宜の形状を採用できる。
【００３５】
開口１０３は、空隙と該空隙を区画する面で構成される。空隙に受皿１を配置する。鉢Ｐからの排水は、上面部１０２の穴１０１を通り、受皿１に貯留される。
【００３６】
鉢受台１００は、図３〜図６に示す通り、底面部１４１と側面部１４２と上方が開放される空間１４３を有し、側面部１４２の一部に開口１０３が設けられ、内側にリブ１４５を設けて、上面部１０２を載置する本体部１０４と、開口１０３に対して横方向にスライドし、空間１４３に収容できる前述の受皿１と、空間１４３において底面部１４１から延び出し、荷重を受ける立壁状の支持部１０６を備えている。
【００３７】
上面部１０２は擂鉢状の曲面である。上面部１０２の外周から穴１０１の外周まで、内側に向かって下り傾斜となっている。上面部１０２の傾斜の程度は、排出効率等を考慮して、２〜６度が好ましい。
【００３８】
上面部１０２の穴を２つの穴１０１に分割する梁１３１を横方向に設けている。梁１３１の板方向の中央が盛り上がっていて、梁１３１が支持部１０６を覆うように配置される。梁１３１は上面に排水が溜まらないよう、頂点から穴１０１に下った傾斜となっている。上面部１０２及び梁１３１の裏面には、半月状の周設溝１３２が設けてある。周設溝１３２により、排水が上面部１０２の裏面を伝って受皿１の外部に流れ出ないようにして、排水を効果的に受皿１の中に落とすことができる。
【００３９】
本体部１０４は球体から、下端部と、上部を切り取った形状である。
【００４０】
本体部１０４は単体で利用できるほか、キャビネットやブックケースなど、家具設計等の一部としたり、キャスターを備えたりするなど、本体部１０４の形態は様々である。
【００４１】
支持部１０６は本体部１０４内部にあり、底面部１４１の中央から垂直に上方に延び出している。上面部１０２を支えるための構造を有する。支持部１０６は厚さ方向、幅方向、高さ方向を有するリブであり、荷重を受ける上面を備え、その上面で、上面部１０２を介して鉢Ｐの荷重を受け止める。支持部１０６の厚みが、側面部１４２よりも厚く設定されることにより、耐荷重性能が高められている。
【００４２】
受皿１の長溝５は支持部１０６と形状が適合する。長溝５と支持部１０６は相似形状であり、相互に嵌合可能である。長溝５は受皿１の壁部が内側領域に入り込んだ形状である。これにより、受皿１が支持部１０６に干渉せず、受皿１を本体部１０４内に収めることができる。また、受皿１のスライドの動きが良好となる。受皿１の正面には、取手を設けている。
【００４３】
支持部１０６は、設計によって１個に限らず、２個以上を備えることもある。その際、受皿１の形状も支持部１０６に干渉しないように設計されなければならない。
【００４４】
底面部１４１に凹溝１０７が設けられる。この凹溝１０７は底面部１４１の上面よりも高さが低く窪んだ形状とされる。凹溝１０７は、受皿１が排水の処理のため、一時的に水受けが存在しなくなった時に、予備として水受けを担うために本体部１０４の内部に備えられている。
【００４５】
受皿１と鉢受台１００の使用方法を述べる。図９の１点鎖線は排水の流れを示している。鉢Ｐの鉢底穴Ｈから出た排水は上面部１０２の表面へと流れ落ち、上面部１０２の穴１０１を通って、本体部１０４内に備える受皿１の中に流下し、貯留される。上面部１０２に排水が残らないように、上面部１０２は、傾斜を有する構成となっている。
【００４６】
図９に示す通り、鉢Ｐに鉢底穴Ｈを備えることが一般的だが、他の構造、例えば、鉢Ｐの底の外周にスリット（図示略）を入れたものの他、様々な孔の形態を備えるものにも適用できることは無論である。鉢Ｐの鉢底面が上面部１０２の外周の範囲以内に収まる範囲であれば、様々な鉢の形状、重量、排水孔に対応することができる。
【００４７】
鉢Ｐを上面部１０２に載置すると、荷重が上面部１０２に加わり、上面部１０２に加わる鉢Ｐの荷重を支持部１０６の上面で支持する。上面部１０２の裏面に排水が伝っても、周設溝１３２がブロックし、下側に落下させる。裏面の受皿１を引き出して、貯留された排水を放出することができる。鉢Ｐに潅水をすると、鉢Ｐの鉢底穴Ｈからの排水は、上面部１０２を通り、梁１３１を介して穴１０１を通って受皿１の中に落ちて受皿１に貯留される。
【００４８】
受皿１に貯留された水が満杯になると、受皿１を引き出す。受皿１を引き出すときに、その勢いの反動によって、受皿１の水が受皿１を引き出す方向Ｘに飛び出そうとするが、波消材３によって、水の飛び出しが阻止されるので、受皿１からの水のこぼれを防止できる。排水を捨てた後、受皿１は元の状態に収容される。
【００４９】
想定する排水の捨て方は、洗面台、バケツ、地面等、使用状態に応じた排水の捨て方がある。いずれの場合にも、円滑に抵抗が少なく、受皿１から水を捨てることが出来る。鉢が多い場合で、受皿１を多用した場合、バケツに一度捨てる動作を想定する。いわば、排水を回収していくよう様な作業である。受皿１の所定方向Ｘに後方を傾ける（下げる）ように捨てると排水が流れ落ちるので、ひっくり返す動作は基本的には不要である。穴１０１から流下した排水は、底面２２全体に広がり、水が溜まっていくので、利便性があり、表面積が広くなるので乾きやすい。
【００５０】
波消材３が板状部材であるので、水の運動を減衰させる抵抗力が増大する。
【００５１】
波消材３の端部が曲面２３を有するので、水の回り込みにより、波消効果が高くなる。
【００５２】
波消材３が所定方向Ｘに間隔を置いて複数個設けられるので、波を減衰させる抵抗力を複数段で与えることができる。
【００５３】
複数の波消材３の所定方向Ｘの間隙に、本体２１の側壁面２４から延び出す、第２波消３２が設けられるので、水がジグザグに流れることで、波を早く減衰できる。
【００５４】
複数の波消材３が本体２１の中央に設けられる内壁面４から延び出すので、波消材３の強度が向上する。
【００５５】
支持部１０６で鉢の荷重を受けることが出来、鉢の重量を問わず排水を受けることができる。受皿１の構造が簡単になるので、製造コストが低減できる。
【００５６】
鉢底穴Ｈからの排水を梁１３１で分流させて下方に流すことができる。梁１３１で支持部１０６を覆い、周設溝１３２を設けたので、上面部１０２の裏面や支持部１０６を伝っての水漏れが防止できる。
【００５７】
本体部１０４から受皿１を引き出した状態であっても、鉢Ｐからの排水を凹溝１０７に受けることができ、貯留効果が高くなる。
【００５８】
支持部１０６が側面部１４２よりも厚いので、支持部１０６の耐荷重性が高くなる。
【００５９】
受皿１が支持部１０６と干渉することを回避でき、受皿１を本体部１０４の内部空間の適切な部位に配置でき、配置効率が高くなる。
【００６０】
本発明実施形態２の受皿３０１について図１０を参照して説明する。受皿３０１は波消材３の形状と配置を変更したものである。実施形態１の受皿１と共通する構成については説明を援用し、対応する構成は３００番台とし、主として、相違する構成について説明する。波消材３３１は、所定方向Ｘに対して、所定の角度に傾斜した板状構造である。所定方向Ｘに対して、所定の角度範囲で適宜設定が可能である。例えば、２〜１７８度までの範囲で角度は設定が可能である。波消材３３１の一端が内壁面３０４から延び出していて、その他端は自由端である。側壁面３２４との間に間隙を設けている。波消材３３１は、左右対称の対が２対、間隔を設けて設置してあるが、左右対称である必要はなく、例えば、入れ違いに配置してもよい。波消材３３１は逆ハの字形であるが、これに代えて、ハの字形でもよい。波消材３３１は基本的には波消材３と同様の効果を備えている。
【００６１】
本発明実施形態３の受皿４０１について図１１を参照して説明する。受皿４０１は波消材３、３３１の形状と配置を変更したものである。実施形態１、２の受皿１と共通する構成については説明を援用し、対応する構成は４００番台とし、主として、相違する構成について説明する。波消材４３１は、所定方向Ｘに対して、Ｕ字形状又は筒体を軸方向に分割した形状（図１１では円筒の軸方向での半割体）とし、複数の波消材４３１が所定方向Ｘに対して、列設された構造である。波消材４３１の形状及び配置は、波消機能が確保される範囲で、適宜、変更が可能である。波消材４３１は基本的には波消材３、３３１と同様の効果を備えている。
【００６２】
本発明実施形態４の受皿５０１について図１２を参照して説明する。受皿５０１は波消材３、３３１、４３１の形状と配置を変更したものである。実施形態１〜３の受皿１、３０１、４０１と共通する構成については説明を援用し、対応する構成は５００番台とし、主として、相違する構成について説明する。波消材５３１は、所定方向Ｘに対して、柱体又は筒体とし、複数の波消材５３１が所定方向Ｘに対して、間隔を置いて立設された構造である。波消材５３１の形状及び配置は、波消機能が確保される範囲で、適宜、変更が可能である。波消材５３１は基本的には波消材３、３３１、４３１と同様の効果を備えている。
【００６３】
本発明実施形態１〜４の受皿１、３０１、４０１、５０１を収容する鉢受台１００の本体部の変形例について、図１３を参照して説明する。実施形態１の鉢受台１００の底面部１４１の中央に設けた荷重受部１０６は板状であるが、図１３に示す変形例においては、これに代えて、複数個の柱体からなる荷重受部２０６とする構造である。荷重受部２０６が所定方向Ｘに間隙を置いて立設されている。荷重受部２０６は柱体であり、横断面形状は丸型、多角形等適宜選択でき、筒体でもよい。実施形態１の鉢受台１００と共通する構成については、対応する構成を２００番台とし、説明を援用する。荷重受部２０６は、荷重受部１０６と基本的には同様の効果を備えている。
【００６４】
本発明実施形態５の受皿６０１と鉢受台６１００について図１４を参照して説明する。実施形態１〜４の受皿１、３０１、４０１、５０１と共通する構成については説明を援用し、対応する構成は６００番台とし、鉢受台１００と共通する構成については説明を援用し、対応する構成は６０００番台とし、主として、相違する構成について説明する。受皿６０１と鉢受台６１００は、四角形であり、Ｘ方向が短手方向、Ｙ方向が長手方向に設定され、Ｙ方向に横長である。受皿６０１の波消材６３１は、図１１の波消材４３１の形状と配置を変更し、数を減少させた。
【００６５】
本発明実施形態６の受皿７０１と鉢受台８００について図１５〜図１８を参照して説明する。受皿７０１は、波消材８０９を有する貯留トレイ８７１と、貯留トレイ８７１の下部に配置可能な底面部８７２と、を有する。底面部８７２は、上方に突出し第１側面部８３１の係合孔と係合する突出片８７３と、貯留トレイ８７１を案内するコ字形状（枠形状でもよい）のリブである、底面に固定された誘導材８７４と、低く窪んだ形状の凹溝８７５と、を備える。底面部８７２は、貯留トレイ８７１に貯留された水を廃棄するために貯留トレイ８７１が引き出されたときには、一時的に水受けが存在しなくなるので、予備として水受けを担うため、また、貯留トレイ８７１が本体部８２１に収容状態であるときには、貯留トレイ８７１から零れた水を貯留するため、受皿７０１に備えられている。
【００６６】
本体部８２１は簡素な構成であっても鉢Ｐの荷重を受けることが出来、鉢Ｐを載せたときの耐荷重性能を高めて、厚みや寸法が増大することを避け、構造を簡単とし、荷重を受ける部分の撓みを防止し、様々な重量の鉢Ｐに対応することができ、金型費等の製造コストを低減できる鉢受台を提供できる。
【００６７】
鉢受台８００は、図１６に示す通り、本体部８２１の上面部８０２の裏面から内部空間８４３に延び出す板状のリブ８０８を有する。
【００６８】
図１６に示す通り、穴８０１が円形であり、リブ８０８が穴８０１の周縁から下方に向かって延び出す円形リブ８８３と、円形リブ８８３から、外側に向かって放射状に第１側面部８３１まで延び出す複数の放射状リブ８８４とを含むので、耐荷重性能が高くなる。
【００６９】
図１６に示す通り、空間８４３に配置され、開口８０３を有する、Ｕ字形状ないしコ字形状の第１側面部８３１と、第１側面部８３１の外周部位に設け、取り囲むように配置される第２側面部８３２と、を有する。第２側面部８３２が角形であって、左側面、右側面、前面、後面を有する。第１側面部８３１と第２側面部８３２とで二重壁構造を構成する。
【００７０】
第２側面部８３２の四隅に角筒状の柱部８３３を備えている。柱部８３３の下端開口は車輪、キャスター若しくは脚部材等を取りつけ、又は、テーブル等に固定具を介して固定する部位である。柱部８３３の位置、個数、又は構造は適宜変更が可能である。
【００７１】
開口８０３は、図１６に示す通り、空間８４３の出口をなし、空間８４３を区画する構造体で区画して構成される。開口８０３は角形である。
【００７２】
本体部８２１は上面部８０２と側面部８３１、８３２とが樹脂一体成型で構成される。本体部８２１は単体で利用できるほか、キャビネットやブックケースなど、家具設計等の一部としたり、キャスターを備えたりするなど、本体部８２１の形態は様々である。本体部８２１の形状のバリエーションを適宜変更できる。例えば、本体部８２１の中央部に支持構造（図示略）を設けて、耐荷重性能を高めることができる。
【００７３】
上面部８０２が水平に配置され、側面部８３１，８３２が上面部８０２の周囲から下方に垂直に配置されるので、簡素な構造であっても耐荷重性能を確保できる。
【００７４】
リブ８０８は、図１６に示す通り、柱部８３３の壁内に中心管と中心管から十字形状に延び出す内部リブ８８１を備える。リブ８０８は、形状や構造が異なる複数のリブから構成されており、第１側面部８３１及び第２側面部８３２を連結する連結用リブ８８２と、円形の穴８０１の周縁から下方に向かって延び出す円形リブ８８３と、円形リブ８８３から、放射状に延び出し、第１側面部８３１の内壁まで達する複数の放射状リブ８８４と、を有している。補強リブ８８４ａを放射状リブ８８４に交差するように設けてもよい。
【００７５】
円形リブ８８３と放射状リブ８８４の高さは、第１側面部８３１及び第２側面部８３２の高さより小さく、１０〜４０％の範囲が例示される。
【００７６】
リブ８０８の個数、位置、厚み、高さ、幅、長さ、又は、固定角度を、必要とする耐荷重に応じて変えることができる。上面部８０２の厚みも適宜変更可能である。かなり大きな鉢を置くことも想定している。リブ８０８の数、太さ、密度、長さを相違させることで対応が可能である。強度を増すために、一体形成においてリブを増設することで金型費は上がるものの、原料によっては他のパーツを取り付けたり、他の素材で補強（例えばアルミなど）する必要がなくなるため、最終的にコストは抑制することができる。
【００７７】
本発明の実施形態は、上述した実施形態に限定されるものではない。本発明の技術的思想を逸脱しない範囲において、改良、変更、追加等を加えることができる。それらの改変、均等物等も本発明の技術的範囲に含まれる。受皿１は実施形態に限定されず、丸形、角形等、適宜の形状を取り得る。鉢受台１００、鉢Ｐの構造は、実施形態に限定されず、受皿１、６０１を開口１０３、６１０３に収容する引き出し構造とすることなく、開口１０３、６１０３内に単に配置する構造でもよい。開口１０３、６１０３は一方向に開口するものに限らず、両方向に設ける構造、例えば、貫通穴でもよい。
【符号の説明】
【００７８】
１      受皿
２１    本体
２２    底面
Ｘ      所定方向
Ｙ      幅方向
３      波消材
２３    曲面
２４    側壁面
３１    第１波消
３２    第２波消
４      内壁面
５      長溝
１００  鉢受台
１０１  穴
１０２  上面部
１０３  開口
１０４  本体部
１０６  支持部
１０７  凹溝
１３１  梁
１３２  周設溝
１４１  底面部
１４２  側面部
１４３  空間
１４５  リブ
Ｐ  鉢
【要約】
【課題】  受皿を鉢台から引き出すときに、水が受皿からこぼれないようにすることを目的とする。
【解決手段】  鉢受台用受皿１は、穴１０１を有する上面部１０２と開口１０３とを備える鉢受台１００からの排水を受ける受皿であって、開口１０３から所定方向Ｘに可動である本体２１と、本体２１の底面２２に、幅方向Ｙに延び出し、所定方向Ｘに間隔を置いて配置される複数枚の波消材３と、を備える。複数の波消材３は、第１波消３１と、第１波消３１の所定方向Ｘの間隙に、本体２１の側壁面２４から延び出す、第２波消３２が設けられる。【図１】
0006736800.tif 000002
【図２】
0006736800.tif 000003
【図３】
0006736800.tif 000004
【図４】
0006736800.tif 000005
【図５】
0006736800.tif 000006
【図６】
0006736800.tif 000007
【図７】
0006736800.tif 000008
【図８】
0006736800.tif 000009
【図９】
0006736800.tif 000010
【図１０】
0006736800.tif 000011
【図１１】
0006736800.tif 000012
【図１２】
0006736800.tif 000013
【図１３】
0006736800.tif 000014
【図１４】
0006736800.tif 000015
【図１５】
0006736800.tif 000016
【図１６】
0006736800.tif 000017
【図１７】
0006736800.tif 000018
【図１８】
0006736800.tif 000019